(57)【要約】【課題】使用性、吸引性能に優れた電気掃除機を提供する。【解決手段】吸引風を発する電動送風機２２および集塵室２７を内蔵する掃除機本体１２と、集塵室２７に着脱自在に装着され塵埃を捕集する集塵袋３０が着脱自在に保持されるバスケット体３２とを備え、バスケット体３２は、回動自在に軸支されると共に握り部３６を有するハンドル３４を備え、握り部３６を、バスケット体３２の後方に位置させると共に、握り部３６に集塵袋３０の膨らみを略上方向から押さえる押さえ部材３８を設けたもので、集塵袋３０が塵埃で一杯になった時、押さえ部材３８により、集塵袋３０が上方向に所定以内しか膨らまないので、廉価な構成で集塵袋３０が上方向に破れるのを防止することができる。【選択図】図２
2010264048.tif 000002
【特許請求の範囲】
【請求項１】
吸引風を発する電動送風機および集塵室を内蔵する掃除機本体と、前記集塵室に着脱自在に装着されると共に、塵埃を捕集する集塵袋が着脱自在に保持されるバスケット体とを備え、前記バスケット体は、回動自在に軸支されると共に握り部を有するハンドルを備え、前記握り部を、前記バスケット体の後方に位置させると共に、前記握り部に前記集塵袋の膨らみを略上方向から押さえる押さえ部材を設けた電気掃除機。
【請求項２】
押さえ部材を略Ｔ字状に形成すると共に、前記押さえ部材と握り部との間に一定の距離を置いた請求項１に記載の電気掃除機。
【請求項３】
押さえ部材を、掃除機本体の長手方向に対して傾斜させた請求項１または２に記載の電気掃除機。
【請求項４】
押さえ部材に複数個の孔を形成した請求項１〜３のいずれか１項に記載の電気掃除機。
【請求項５】
押さえ部材の端部を略円弧状とした請求項１〜４のいずれか１項に記載の電気掃除機。
【発明の詳細な説明】
【技術分野】
【０００１】
本発明は、集塵袋を収納するバスケット体を備えた電気掃除機に関するものである。
【背景技術】
【０００２】
従来のこの種の電気掃除機として、図７に示すようなものがあった（例えば、特許文献１参照）。
【０００３】
図７は、上記特許文献１に記載された従来の電気掃除機の掃除機本体の断面図である。
【０００４】
図７において、従来の電気掃除機の掃除機本体５は、塵埃を捕集する集塵袋７を収納した集塵室１と、吸引風を発する電動送風機２を内蔵した電動送風機室３とを有している。また、掃除機本体５は、集塵室１の後方に回動自在に軸支されて前記集塵室１の上面を開閉自在に覆う集塵蓋６と、前記集塵袋７が装着されると共に、前記集塵室１に着脱自在に配設されるバスケット体８とを備え、バスケット体８の後方上部には、ハンドル９が回動自在に軸支されている。
【先行技術文献】
【特許文献】
【０００５】
【特許文献１】特開２０００−１０２５００号公報
【発明の概要】
【発明が解決しようとする課題】
【０００６】
しかしながら、上記特許文献１に記載されたような従来の電気掃除機の構成では、集塵袋７は、紙等の材質で構成されている場合が一般であり、その集塵袋７の破裂を防止するために、バスケット体８に、集塵袋７を装着し、膨らみを抑えているが、上方が開口しているため、集塵袋７は、上方向に膨らみ、破れてしまうという課題があった。
【０００７】
また、バスケット体８の外郭形状が、集塵室１の内面形状に沿った形状をしており、吸引風により膨らんだ集塵袋７が、バスケット体８の内面に密着し、集塵袋７を通過した吸気風が電動送風機２へ流れるまでの空間が少なくなるため、集塵袋７の内部に溜まった細塵等の塵埃が集塵袋７に目詰りしてくると、吸引力が低下してくるという課題があった。
【０００８】
本発明は、上記従来の課題を解決するものであって、塵埃を捕集するバスケット体を有する電気掃除機の使用性及び性能の向上を図ることを目的とする。
【課題を解決するための手段】
【０００９】
上記従来の課題を解決するために、本発明の電気掃除機は、吸引風を発する電動送風機および集塵室を内蔵する掃除機本体と、前記集塵室に着脱自在に装着されると共に、塵埃を捕集する集塵袋が着脱自在に保持されるバスケット体とを備え、前記バスケット体は、回動自在に軸支されると共に握り部を有するハンドルを備え、前記握り部を、前記バスケット体の後方に位置させると共に、前記握り部に前記集塵袋の膨らみを略上方向から押さえる押さえ部材を設けたもので、集塵袋が塵埃で一杯になった時に、押さえ部材により集塵袋が上方向に所定以内しか膨らまないので、廉価な構成で、集塵袋が上方向に破れてしまうのを防止することができる。
【発明の効果】
【００１０】
本発明の電気掃除機は、集塵袋を収納するバスケット体を備えた電気掃除機で、集塵袋
の品質を安定させると共に、バスケット体から集塵袋を捨てる作業を容易にし、使い勝手の良い電気掃除機を提供するものである。
【図面の簡単な説明】
【００１１】
【図１】本発明の第１の実施の形態における電気掃除機の全体斜視図
【図２】同電気掃除機の断面図
【図３】同電気掃除機の部分断面図
【図４】同電気掃除機からバスケット体を取外した時の動作図
【図５】同電気掃除機のバスケット体の押さえ部材を示した斜視図
【図６】同電気掃除機からバスケット体を取外した時の斜視図
【図７】従来の電気掃除機の掃除機本体の断面図
【発明を実施するための形態】
【００１２】
第１の発明は、吸引風を発する電動送風機および集塵室を内蔵する掃除機本体と、前記集塵室に着脱自在に装着されると共に、塵埃を捕集する集塵袋が着脱自在に保持されるバスケット体とを備え、前記バスケット体は、回動自在に軸支されると共に握り部を有するハンドルを備え、前記握り部を、前記バスケット体の後方に位置させると共に、前記握り部に前記集塵袋の膨らみを略上方向から押さえる押さえ部材を設けたもので、集塵袋が塵埃で一杯になった時に、押さえ部材により集塵袋が上方向に所定以内しか膨らまないので、廉価な構成で、集塵袋が上方向に破れてしまうのを防止することができる。
【００１３】
第２の発明は、特に、第１の発明の押さえ部材を略Ｔ字状に形成すると共に、前記押さえ部材と握り部との間に一定の距離を置いたもので、使用者が、ハンドルの握り部を持って、バスケット体を取り出すとき、押さえ部材は集塵袋と離れた位置にあるので、Ｔ字状の押さえ部材は、使用者の指に干渉することがなく容易に持ち運びができ使い勝手が向上する。
【００１４】
第３の発明は、特に、第１又は第２の発明の押さえ部材を、掃除機本体の長手方向に対して傾斜させたもので、集塵袋を通り抜けた微細な塵埃が押さえ部材に溜まっても、傾斜面より滑り落ち、塵埃が廃棄され手で触る押さえ部材を、常に清潔に保つことができる。
【００１５】
第４の発明は、特に、第１〜３のいずれか一つの発明の押さえ部材に複数個の孔を形成したもので、複数個の孔により押さえ部材に通気性が確保されるので、塵埃が一杯となり膨らみきった集塵袋が押さえ部材の内面に密着しても、この集塵袋を通過した後の吸気風が押さえ部材を容易に通過するようになり、吸引力の維持ができる。
【００１６】
第５の発明は、特に、第１〜４のいずれか一つの発明の押さえ部材の端部を略円弧状としたもので、容易に集塵袋に傷がつくのを防止し、また、集塵袋が塵埃で一杯になった時でも、集塵袋の破れを防止することが可能となる。
【００１７】
以下、本発明の実施の形態について、図面を参照しながら説明する。なお、この実施の形態によって本発明が限定されるものではない。
【００１８】
（実施の形態１）
本発明の第１の実施の形態における電気掃除機について、図１〜図５を用いて説明する。
【００１９】
図１は、本実施の形態における電気掃除機の全体斜視図、図２は、同電気掃除機の断面図、図３は、同電気掃除機の部分断面図、図４は、同電気掃除機からバスケット体を取外した時の動作図、図５は、同バスケット体の押さえ部材を示した斜視図、図６は、同電気
掃除機からバスケット体を取外した時の斜視図である。
【００２０】
図１〜図３において、掃除機本体１２は、一端に手元ハンドル１３を有し、他端にホース継ぎ手１４を有するホース１５を介して延長管１６の一端に連結し、延長管１６の他端に取り付けられ塵埃を吸引する吸込具１７と連通している。また、掃除機本体１２の底面は、枢支された１個の前輪キャスター１８と一対の後輪キャスター１９とを備えている。
【００２１】
この掃除機本体１２は、図２に示すように、下本体２０と、上本体２１とで外郭を構成している。この掃除機本体１２の後方側に電動送風機２２が配設されており、電動送風機２２は、吸引風を発するもので、前方は、第１サポートゴム２３を介して、後方は、第２サポートゴム２４を介して、第１モーターカバー２５と第２モーターカバー２６により支持されており、下本体２０に装着し固定するようにしている。
【００２２】
掃除機本体１２の前方側には、集塵室２７が形成され、集塵室２７の上方には、この集塵室２７を開閉自在に覆う集塵蓋２８を有している。また、集塵蓋２８の、ホース継ぎ手１４付き側には、逆止弁２９が係止されており、この逆止弁２９には、集塵袋３０の口芯３１が密着するようエアータイトされている。
【００２３】
図４で示すように、集塵蓋２８を開くことより、集塵室２７内に配設されたバスケット体３２は、集塵室２７内から取出すことが可能で、集塵室２７内に着脱自在に設けられている。
【００２４】
また、図４〜図６で示すように、バスケット体３２は、上方開放されると共に略箱状に形成され、バスケット体３２のホース継ぎ手１４側には、集塵袋３０の口芯３１を装着させる装着部３３が回動自在に係止されている。
【００２５】
また、バスケット体３２の側面から上方後部を覆うように、ハンドル３４が設けられ、ハンドル３４は、支軸３５を中心に回動可能に構成されている。通常は、バスケット体３２を持運ぶハンドル３４の握り部３６は、図３で示すように、バスケット体３２の上方後部で、バスケット体３２の平面座３７に配置され係止されている。
【００２６】
また、図４、図５で示すように、ハンドル３４の握り部３６の前方には、集塵袋３０の後方を押さえるように、押さえ部材３８がハンドル３４の握り部３６と一体で設けられている。
【００２７】
以上のように構成されたバスケット体３２について、以下その動作、作用を説明する。
【００２８】
図１〜図６より、集塵袋３０が塵埃で一杯になっても、押さえ部材３８は、集塵袋３０の広がりを抑制し、集塵袋３０が上方向に破れてしまうのを防止することができる。
【００２９】
また、ハンドル３４と押さえ部材３８を一体化させることにより、簡単で廉価な構成で、集塵袋３０の品質を安定させることが可能となる。
【００３０】
また、図４に示すように、使用者がハンドル３４の握り部３６を持って、バスケット体３２を掲げた状態の時、バスケット体３２を持運ぶハンドル３４の握り部３６は、バスケット体３２の上方後部から、Ａ方向に回動し、バスケット体３２の側壁に設けられた位置規制部である凸リブ３９にあたりハンドル３４の回動が規制される構成となっている。また、ハンドル３４の回動を、位置規制部である凸リブ３９まで回動した時、ハンドル３４の握り部３６は、バスケット体３２の略重心４０の位置に規制されるように設けられている。
【００３１】
また、ハンドル３４の握り部３６の押さえ部材３８は、図５に示すように上から見た形状が略Ｔ字状４１になるように形成されており、更に、Ｔ字状４１の一端とハンドル３４の握り部３６との間に一定の距離Ｌが設けられている。
【００３２】
上記構成より、バスケット体３２を集塵室２７から自然に引上げた時、バスケット体３２が集塵袋３０等の自重で傾いたりすることがなくなり、Ｔ字状４１の押さえ部材３８は、握り部３６と一定の距離Ｌが確保されている為、使用者の指に干渉することなく、容易に持ち運ぶことが可能となり、握り部３６の取り出し性が向上するものである。
【００３３】
また、図３において、通常時、バスケット体３２を持運ぶ握り部３６の押さえ部材３８は、バスケット体３２の上方後部に位置しており、押さえ部材３８は、掃除機本体１２の長手方向に対して傾斜４２されている。
【００３４】
上記構成により、集塵袋３０を通り抜けた微細な塵埃がハンドル３４の押さえ部材３８に溜まっても、傾斜４２により滑り落ち、塵埃が廃棄され、手で触る押さえ部材３８を、常に清潔に保つことが可能となる。
【００３５】
また、図３、図５、図６に示すように、本実施の形態では、ハンドル３４の握り部３６に設けた押さえ部材３８には、複数個の孔４３が形成されている。
【００３６】
上記構成より、膨らみきった集塵袋３０が押さえ部材３８の内面に密着しても、集塵袋３０を通過した後の吸引風は、押さえ部材３８の孔４３を通過することで、電動送風機２２へ吸引風が流れ易くなり、吸引力の維持が可能となる。
【００３７】
また、図３に示すように、ハンドル３４の握り部３６に設けた押さえ部材３８の端部４４は、略円弧状４５に形成されている。
【００３８】
上記構成により、集塵袋３０が膨らんでも、容易に集塵袋３０を傷つけることを防止し、また、集塵袋３０が塵埃で一杯になった時でも、集塵袋３０の破れを防止することが可能となる。
【産業上の利用可能性】
【００３９】
以上のように、本発明に係る電気掃除機は、塵埃を捕集するバスケット体を有する電気掃除機の品質の安定および使用性の向上を図ることができるもので、各種電気掃除機に適用できる。
【符号の説明】
【００４０】
１２  掃除機本体
２２  電動送風機
２７  集塵室
３０  集塵袋
３２  バスケット体
３４  ハンドル
３６  握り部
３８  押さえ部材
４１  Ｔ字状
４２  傾斜
４３  孔
４４  端部
４５  略円弧状
【図１】
2010264048.tif 000003
【図２】
2010264048.tif 000004
【図３】
2010264048.tif 000005
【図４】
2010264048.tif 000006
【図５】
2010264048.tif 000007
【図６】
2010264048.tif 000008
【図７】
2010264048.tif 000009